(57)【特許請求の範囲】
【請求項１】
少なくとも１つの無線システムインターフェースと、
少なくとも第１のモードと第２のモードで選択的に動作するように適応させられた、少なくとも１つの衛星ポジショニングシステム（ＳＰＳ）受信機であって、前記第１のモードで動作する場合には少なくとも第１のＳＰＳ信号を、前記第２のモードで動作する場合には少なくとも第２のＳＰＳ信号を、受信するように適応させられた、前記ＳＰＳ受信機と、
前記無線システムインターフェースと前記ＳＰＳ受信機に接続され、前記ＳＰＳ受信機が、前記無線システムインターフェースに関連づけられる少なくとも１つの動作状態に少なくとも部分的に基づき、前記第１のモードまたは第２のモードのうちの１つで動作することを、規定するように適応させられた、少なくとも１つのコントローラ
とを含み、
前記少なくとも１つのコントローラが、前記無線システムインターフェースに関連づけられる前記少なくとも１つの動作状態に少なくとも部分的に基づき、前記第１のモードおよび前記第２のモード間での前記ＳＰＳ受信機の動作の遷移を、選択的に開始するように適応させられた、装置、
なお前記少なくとも１つの動作状態は、前記無線システムインターフェースが、前記無線システムインターフェースのタイプに基づいて規定された周波数で、無線信号を受信または送信している状態を含む。
【請求項２】
少なくとも１つの無線システムインターフェースと、
少なくとも第１のモードと第２のモードで選択的に動作するように適応させられた、少なくとも１つの衛星ポジショニングシステム（ＳＰＳ）受信機であって、前記第１のモードで動作する場合には少なくとも第１のＳＰＳ信号を、前記第２のモードで動作する場合には少なくとも第２のＳＰＳ信号を、受信するように適応させられた、前記ＳＰＳ受信機と、
前記無線システムインターフェースと前記ＳＰＳ受信機に接続され、前記ＳＰＳ受信機が、前記無線システムインターフェースに関連づけられる少なくとも１つの動作状態に少なくとも部分的に基づき、前記第１のモードまたは第２のモードのうちの１つで動作することを、規定するように適応させられた、少なくとも１つのコントローラ
とを含む装置、
なお前記少なくとも１つの動作状態は、前記無線システムインターフェースが、前記無線システムインターフェースのタイプに基づいて規定された周波数で、無線信号を受信または送信している状態を含む。
【請求項３】
前記少なくとも１つのコントローラが、前記無線システムインターフェースに関連づけられる前記少なくとも１つの動作状態を識別するように適応させられた、請求項１に記載の装置。
【請求項４】
前記無線システムインターフェースに関連づけられる前記少なくとも１つの動作状態が、学習により確立される、請求項１に記載の装置。
【請求項５】
前記無線システムインターフェースに関連づけられる前記少なくとも１つの動作状態が、プログラム化された命令により確立される、請求項１に記載の装置。
【請求項６】
前記無線システムインターフェースに関連づけられる前記少なくとも１つの動作状態が、前記無線システムインターフェースが、前記無線システムインターフェースの動作についての、規定された時間の間に無線信号を受信または送信している状態を含む、請求項１に記載の装置。
【請求項７】
前記無線システムインターフェースに関連づけられる前記少なくとも１つの動作状態が、送信に関連した動作状態を含む、請求項１に記載の装置。
【請求項８】
前記無線システムインターフェースに関連づけられる前記少なくとも１つの動作状態が、受信に関連した動作状態を含む、請求項１に記載の装置。
【請求項９】
前記少なくとも１つのコントローラが、前記無線システムインターフェースに関連づけられる前記少なくとも１つの動作状態が：（ｉ）前記第１のモードとの互換性が動作的により少ない、および／または、（ｉｉ）前記第２のモードとの互換性が動作的により多い、と前記少なくとも１つのコントローラによって判断される場合に、前記第１のモードから前記第２のモードへの前記ＳＰＳ受信機の動作の変更を、選択的に開始するように適応させられた、請求項１に記載の装置。
【請求項１０】
前記少なくとも１つの無線システムインターフェースが、無線ワイドエリアネットワーク（ＷＷＡＮ）、無線ローカルエリアネットワーク（ＷＬＡＮ）、無線パーソナルエリアネットワーク（ＷＰＡＮ）および無線メトロポリタンエリアネットワーク（ＷＭＡＮ）を含む無線通信システムのグループから選択された少なくとも１つの無線システムでの使用に適応させられた、請求項１に記載の装置。
【請求項１１】
前記少なくとも１つの無線システムインターフェースが、メディアフローシステム、デジタルＴＶシステム、デジタルラジオシステム、移動体デジタルテレビ放送（ＤＶＢ−Ｈ）システム、デジタルマルチメディア放送（ＤＭＢ）システムおよび地上デジタル放送統合サービス（ＩＳＤＢ−Ｔ）システムを含む無線放送システムのグループから選択された少なくとも１つの無線システムでの使用に適応させられた、請求項１に記載の装置。
【請求項１２】
前記少なくとも１つの無線システムインターフェースが、受信機、送信機およびトランシーバを含むインターフェース回路のグループから選択された少なくとも１つのインターフェース回路を含む、請求項１に記載の装置。
【請求項１３】
前記少なくとも１つのＳＰＳ受信機が、ＧＰＳ信号、ガリレオ信号、グロナス信号およびコンパス信号を含むＳＰＳ信号のグループから選択された少なくとも１つのＳＰＳ信号を受信するように適応可能である、請求項１に記載の装置。
【請求項１４】
前記少なくとも１つのＳＰＳ受信機が、周波数適応可能な単一の受信パス回路を含む、請求項１に記載の装置。
【請求項１５】
前記第１のＳＰＳ信号が第１の周波数帯域内にあり、前記第２のＳＰＳ信号が第２の周波数帯域内にある、請求項１に記載の装置。
【請求項１６】
前記第１のＳＰＳ信号が周波数帯域の第１のチャネル内にあり、前記第２のＳＰＳ信号が前記周波数帯域の第２のチャネル内にある、請求項１に記載の装置。
【請求項１７】
前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、請求項１に記載の装置。
【請求項１８】
前記少なくとも１つの無線システムインターフェースと前記少なくとも１つのＳＰＳ受信機が、並行して動作するように適応させられている、請求項１に記載の装置。
【請求項１９】
前記装置が移動デバイスを含む、請求項１に記載の装置。
【請求項２０】
少なくとも１つの無線システムインターフェースと少なくとも１つの衛星ポジショニングシステム（ＳＰＳ）受信機を有する通信デバイスを提供することであって、前記ＳＰＳ受信機が、少なくとも第１のＳＰＳ信号を受信するために少なくとも第１のモードで、少なくとも第２のＳＰＳ信号を受信するために第２のモードで、選択的に動作するように適応させられている、ことと、
前記ＳＰＳ受信機が、前記無線システムインターフェースに関連づけられる少なくとも１つの動作状態に少なくとも部分的に基づき、前記第１のモードまたは第２のモードのうちの１つで動作することを選択的に規定すること
とを含み、
前記無線システムインターフェースに関連づけられる前記少なくとも１つの動作状態に少なくとも部分的に基づき、前記第１のモードと前記第２のモード間で、前記ＳＰＳ受信機の動作を選択的に変更すること
をさらに含む、方法、
なお前記少なくとも１つの動作状態は、前記無線システムインターフェースが、前記無線システムインターフェースのタイプに基づいて規定された周波数で、無線信号を受信または送信している状態を含む。
【請求項２１】
少なくとも１つの無線システムインターフェースと少なくとも１つの衛星ポジショニングシステム（ＳＰＳ）受信機を有する通信デバイスを提供することであって、前記ＳＰＳ受信機が、少なくとも第１のＳＰＳ信号を受信するために少なくとも第１のモードで、少なくとも第２のＳＰＳ信号を受信するために第２のモードで、選択的に動作するように適応させられている、ことと、
前記ＳＰＳ受信機が、前記無線システムインターフェースに関連づけられる少なくとも１つの動作状態に少なくとも部分的に基づき、前記第１のモードまたは第２のモードのうちの１つで動作することを選択的に規定すること
とを含む方法、
なお前記少なくとも１つの動作状態は、前記無線システムインターフェースが、前記無線システムインターフェースのタイプに基づいて規定された周波数で、無線信号を受信または送信している状態を含む。
【請求項２２】
前記無線システムインターフェースに関連づけられる前記少なくとも１つの動作状態を識別すること
をさらに含む、請求項２０に記載の方法。
【請求項２３】
前記無線システムインターフェースに関連づけられる前記少なくとも１つの動作状態が、学習により識別される、請求項２０に記載の方法。
【請求項２４】
前記無線システムインターフェースに関連づけられる前記少なくとも１つの動作状態が、プログラム化された命令により識別される、請求項２０に記載の方法。
【請求項２５】
前記無線システムインターフェースに関連づけられる前記少なくとも１つの動作状態が、前記無線システムインターフェースが、前記無線システムインターフェースの動作についての、規定された時間の間に無線信号を受信または送信している状態を含む、請求項２０に記載の方法。
【請求項２６】
前記無線システムインターフェースに関連づけられる前記少なくとも１つの動作状態が、送信に関連した動作状態を含む、請求項２０に記載の方法。
【請求項２７】
前記無線システムインターフェースに関連づけられる前記少なくとも１つの動作状態が、受信に関連した動作状態を含む、請求項２０に記載の方法。
【請求項２８】
前記無線システムインターフェースに関連づけられる前記少なくとも１つの動作状態が：（ｉ）前記第１のモードとの互換性が動作的により少ない、および／または、（ｉｉ）前記第２のモードとの互換性が動作的により多い、と判断される場合に、前記第１のモードから前記第２のモードへ、前記ＳＰＳ受信機の動作を、選択的に変更すること
をさらに含む、請求項２０に記載の方法。
【請求項２９】
前記少なくとも１つの無線システムインターフェースが、無線ワイドエリアネットワーク（ＷＷＡＮ）、無線ローカルエリアネットワーク（ＷＬＡＮ）、無線パーソナルエリアネットワーク（ＷＰＡＮ）および無線メトロポリタンエリアネットワーク（ＷＭＡＮ）を含む無線通信システムのグループから選択された少なくとも１つの無線システムでの使用に適応させられた、請求項２０に記載の方法。
【請求項３０】
前記少なくとも１つの無線システムインターフェースが、メディアフローシステム、デジタルＴＶシステム、デジタルラジオシステム、移動体デジタルテレビ放送（ＤＶＢ−Ｈ）システム、デジタルマルチメディア放送（ＤＭＢ）システムおよび地上デジタル放送統合サービス（ＩＳＤＢ−Ｔ）システムを含む無線放送システムのグループから選択された少なくとも１つの無線システムでの使用に適応させられた、請求項２０に記載の方法。
【請求項３１】
前記少なくとも１つの無線システムインターフェースが、受信機、送信機およびトランシーバを含むインターフェース回路のグループから選択された少なくとも１つのインターフェース回路を含む、請求項２０に記載の方法。
【請求項３２】
前記少なくとも１つのＳＰＳ受信機が、ＧＰＳ信号、ガリレオ信号、グロナス信号およびコンパス信号を含むＳＰＳ信号のグループから選択された少なくとも１つのＳＰＳ信号を受信するように適応可能である、請求項２０に記載の方法。
【請求項３３】
前記第１のモードから第２のモードへ、前記ＳＰＳ受信機の動作を選択的に変更することが、周波数適応可能な単一の受信パス回路を調整することを含む、請求項２０に記載の方法。
【請求項３４】
前記第１のＳＰＳ信号が第１の周波数帯域内にあり、前記第２のＳＰＳ信号が第２の周波数帯域内にある、請求項２０に記載の方法。
【請求項３５】
前記第１のＳＰＳ信号が周波数帯域の第１のチャネル内にあり、前記第２のＳＰＳ信号が前記周波数帯域の第２のチャネル内にある、請求項２０に記載の方法。
【請求項３６】
前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、請求項２０に記載の方法。
【請求項３７】
前記少なくとも１つの無線システムインターフェースと前記少なくとも１つのＳＰＳ受信機を並行して動作すること
をさらに含む、請求項２０に記載の方法。
【請求項３８】
少なくとも１つの無線システムと通信するための手段と、
前記少なくとも１つの無線システムと通信するための手段に関連づけられる少なくとも１つの動作状態に少なくとも部分的に基づき、少なくとも第１のＳＰＳ信号を受信するために第１のモードで、または、少なくとも第２のＳＰＳ信号を受信するために第２のモードで、衛星ポジショニングシステム（ＳＰＳ）受信機を選択的に動作するための手段
とを含み、
前記第１のＳＰＳ信号を受信するために少なくとも第１のモードで、および、前記第２のＳＰＳ信号を受信するために第２のモードで、衛星ポジショニングシステム（ＳＰＳ）受信機を選択的に動作するための前記手段が、前記少なくとも１つの無線システムと通信するための前記手段に関連づけられる少なくとも１つの動作状態に少なくとも部分的に基づき、前記第１のモードと前記第２のモード間で前記ＳＰＳ受信機の動作を選択的に遷移するための手段を含む、装置、
なお前記少なくとも１つの動作状態は、前記少なくとも１つの無線システムと通信するための前記手段が、前記少なくとも１つの無線システムと通信するための前記手段のタイプに基づいて規定された周波数で、無線信号を受信または送信している状態を含む。
【請求項３９】
少なくとも１つの無線システムと通信するための手段と、
前記少なくとも１つの無線システムと通信するための手段に関連づけられる少なくとも１つの動作状態に少なくとも部分的に基づき、少なくとも第１のＳＰＳ信号を受信するために第１のモードで、または、少なくとも第２のＳＰＳ信号を受信するために第２のモードで、衛星ポジショニングシステム（ＳＰＳ）受信機を選択的に動作するための手段
とを含む装置、
なお前記少なくとも１つの動作状態は、前記少なくとも１つの無線システムと通信するための前記手段が、前記少なくとも１つの無線システムと通信するための前記手段のタイプに基づいて規定された周波数で、無線信号を受信または送信している状態を含む。
【請求項４０】
少なくとも前記第１のモードで動作するように、前記少なくとも１つのＳＰＳ受信機を適応させるための手段と、
少なくとも前記第２のモードで動作するように、前記少なくとも１つのＳＰＳ受信機を適応させるための手段
とをさらに含む、請求項３８に記載の装置。
【請求項４１】
前記少なくとも１つの無線システムと通信するための前記手段に関連づけられる前記少なくとも１つの動作状態を識別するための手段
をさらに含む、請求項３８に記載の装置。
【請求項４２】
前記第１のＳＰＳ信号が第１の周波数帯域内にあり、前記第２のＳＰＳ信号が第２の周波数帯域内にある、請求項３８に記載の装置。
【請求項４３】
前記第１のＳＰＳ信号が周波数帯域の第１のチャネル内にあり、前記第２のＳＰＳ信号が前記周波数帯域の第２のチャネル内にある、請求項３８に記載の装置。
【請求項４４】
前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、請求項３８に記載の装置。
【請求項４５】
少なくとも１つの処理ユニットによって実行される場合に、
少なくとも１つの無線システムインターフェースをも有する通信デバイスにおける少なくとも１つの衛星ポジショニングシステム（ＳＰＳ）受信機が、前記無線システムインターフェースに関連づけられる少なくとも１つの動作状態に少なくとも部分的に基づき、少なくとも、少なくとも第１のＳＰＳ信号を受信するための第１のモード、および、少なくとも第２のＳＰＳ信号を受信するための第２のモードから選択された１つの動作モードで動作することを、選択的に規定すること
を、前記少なくとも１つの処理ユニットに可能にさせるように適応させられている、記憶された、コンピュータで実施可能な命令を含み、
少なくとも１つの処理ユニットによって実行される場合に、
前記無線システムインターフェースに関連づけられる前記少なくとも１つの動作状態に少なくとも部分的に基づき、前記第１のモードと前記第２のモード間で、前記ＳＰＳ受信機の動作を選択的に変更すること
を、前記少なくとも１つの処理ユニットに可能にさせるように適応させられている、記憶された、コンピュータで実施可能な命令をさらに含む、コンピュータ可読媒体、
なお前記少なくとも１つの動作状態は、前記無線システムインターフェースが、前記無線システムインターフェースのタイプに基づいて規定された周波数で、無線信号を受信または送信している状態を含む。
【請求項４６】
少なくとも１つの処理ユニットによって実行される場合に、
少なくとも１つの無線システムインターフェースをも有する通信デバイスにおける少なくとも１つの衛星ポジショニングシステム（ＳＰＳ）受信機が、前記無線システムインターフェースに関連づけられる少なくとも１つの動作状態に少なくとも部分的に基づき、少なくとも、少なくとも第１のＳＰＳ信号を受信するための第１のモード、および、少なくとも第２のＳＰＳ信号を受信するための第２のモードから選択された１つの動作モードで動作することを、選択的に規定すること
を、前記少なくとも１つの処理ユニットに可能にさせるように適応させられている、記憶された、コンピュータで実施可能な命令を含む、コンピュータ可読媒体、
なお前記少なくとも１つの動作状態は、前記無線システムインターフェースが、前記無線システムインターフェースのタイプに基づいて規定された周波数で、無線信号を受信または送信している状態を含む。
【請求項４７】
少なくとも１つの処理ユニットによって実行される場合に、
前記無線システムインターフェースに関連づけられる前記少なくとも１つの動作状態を識別すること
を、前記少なくとも１つの処理ユニットに可能にさせるように適応させられている、記憶された、コンピュータで実施可能な命令をさらに含む、請求項４５に記載のコンピュータ可読媒体。
【請求項４８】
前記第１のＳＰＳ信号が第１の周波数帯域内にあり、前記第２のＳＰＳ信号が第２の周波数帯域内にある、請求項４５に記載のコンピュータ可読媒体。
【請求項４９】
前記第１のＳＰＳ信号が周波数帯域の第１のチャネル内にあり、前記第２のＳＰＳ信号が前記周波数帯域の第２のチャネル内にある、請求項４５に記載のコンピュータ可読媒体。
【請求項５０】
前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、請求項４５に記載のコンピュータ可読媒体。
【発明の詳細な説明】
【技術分野】
【０００１】
ここに開示される主題は、電子デバイスに関し、より詳細には、適応可能モード航法無線機を含む複数の無線機を有するデバイスで使用するための装置および方法に関する。
【背景技術】
【０００２】
無線通信システムは、急速に、デジタル情報分野で最も普及している技術の１つになりつつある。衛星およびセルラー電話サービスおよび他の同様の無線通信ネットワークは、すでに地球全体にまたがっていると言えよう。さらに、さまざまなタイプやサイズの新たな無線システム（たとえば、ネットワーク）が、日々追加され、固定用、携帯用両方の多くのデバイス間の接続性を提供している。これらの無線システムの多くは、他の通信システムおよびリソースによって共に接続され、情報の共有および通信をよりいっそう促進する。事実、なかには、２つ以上の無線通信システムと通信するように適応させられることが珍しくないデバイスもあり、この傾向は助長されているように思われる。
【０００３】
一般的、かつ、ますます有力になっている別の無線技術には、航法システム、特に、たとえば、グローバル・ポジショニング・システム（ＧＰＳ）および他の同様の全地球的航法衛星システム（Global Navigation Satellite Systems：ＧＮＳＳ）といった衛星ポジショニングシステム（ＳＰＳ）が含まれる。ＳＰＳ無線機は、たとえば、軌道を回る複数のＧＮＳＳ衛星によって送信される無線ＳＰＳ信号を受信することができる。ＳＰＳ信号は、たとえば、ＳＰＳ無線機を有するデバイスに関連づけられる、地球時間（global time）、近似の、または、正確な地理的位置、高度および／または速度を決定するように処理され得る。
【発明の概要】
【０００４】
方法および装置が、デバイス内の少なくとも１つの他の無線機に関連づけられる少なくとも１つの動作状態に、少なくとも部分的に基づいて、デバイス内の航法無線機の動作のモードを選択的に規定するために、提供される。
【０００５】
例として、１つの例示的な装置は、少なくとも１つの無線システムインターフェース、少なくとも１つの衛星ポジショニングシステム（ＳＰＳ）受信機、および、無線システムインターフェースとＳＰＳ受信機に接続された少なくとも１つのコントローラを含み得る。ここで、ＳＰＳ受信機は、少なくとも第１のモードおよび第２のモードで選択的に動作するように適応させられることができ、ＳＰＳ受信機は、第１のモードで動作する場合には第１のＳＰＳ信号を、第２のモードで動作する場合には第２のＳＰＳ信号を受信するように適応させられる。コントローラは、ＳＰＳ受信機が、無線システムインターフェースに関連づけられる少なくとも１つの動作状態に、少なくとも部分的に基づいて、第１、第２（または他の）モードの少なくとも１つで動作することを規定するように、適応させられ得る。
【０００６】
ある特定の例示的な実施において、動作状態は、たとえば、周波数に関連した動作状態、タイミングに関連した動作状態、送信に関連した動作状態、受信に関連した動作状態、等と関連づけられ得る。
【０００７】
ある特定の例示的な実施形態において、コントローラは、たとえば、無線システムインターフェースに関連づけられる少なくとも１つの動作状態が（ｉ）第１のモードとの互換性が動作的により少ない、および／または、（ｉｉ）第２のモードとの互換性が動作的により多いということが、少なくとも１つのコントローラによって判断される場合に、第１のモードから第２のモードにＳＰＳ受信機の動作の変更を選択的に開始するように適応させられ得る。
【０００８】
ある特定の例示的な実施において、無線システムインターフェースは、（単数または複数の）無線通信システム、（単数または複数の）無線放送システム、等において適応させられ得る。
【０００９】
ある特定の例示的な実施において、第１および／または第２のＳＰＳ信号は、たとえば、少なくとも１つの、全地球的航法衛星システム（Global Navigation Satellite System：ＧＮＳＳ）、局地的航法システム（regional navigation system）、静止衛星型衛星航法補強システム（Satellite Based Augmentation System：ＳＢＡＳ）、等に関連づけられ得る。
【００１０】
例示的な方法は、たとえば、少なくとも１つの無線システムインターフェースと少なくとも１つのＳＰＳ受信機を有する通信デバイスを提供することを含むことができ、ＳＰＳ受信機は、少なくとも、第１のＳＰＳ信号を受信するには第１のモードで、第２のＳＰＳ信号を受信するには第２のモードで、選択的に動作するように適応させられ、ＳＰＳ受信機が無線システムインターフェースに関連づけられる少なくとも１つの動作状態に少なくとも部分的に基づき、第１のモードまたは第２のモードの１つで動作するように、選択的に規定する。
【００１１】
非限定的で、網羅的ではない態様が、以下の図面を参照して説明されるが、同様の参照番号は、別段の規定がない限り、異なる図面を通して同様の部分を示す。
【図面の簡単な説明】
【００１２】
【図１】適応可能なモード航法無線機を含む複数の無線機を有するデバイスを含む例示的な環境を示すブロック図である。
【図２】たとえば、図１のデバイスによる受信に適し得る、さまざまな衛星ポジショニングシステム（ＳＰＳ）信号に関連づけられる、いくつかの例示的なスペクトルを示す実例のグラフである。
【図３】たとえば、図１の環境で実施され得る例示的なデバイスの、ある特定の特徴を示すブロック図である。
【図４】たとえば、図１の環境で実施され得る方法を示すフロー図である。
【図５】たとえば、図１のデバイスで実施され得る単一の受信パスモード設定可能回路を有する例示的なデバイスの、ある特定の特徴を示すブロック図である。
【図６】たとえば、図１のデバイスで実施され得る複数の受信パスモード設定可能回路を有する例示的なデバイスの、ある特定の特徴を示すブロック図である。
【詳細な説明】
【００１３】
図１は、本明細書のある特定の例示的な実施に係る、並行して行われる無線通信および航法サービスを提供するように適応させられた、さまざまな計算および通信リソースを含み得る無線環境１００を示すブロック図である。
【００１４】
無線環境１００は、少なくとも１つの無線システム１０４へ／から、無線信号を送信および／または受信するように適応させられた少なくとも１つのデバイス１０２を含み得る、（単数または複数の）任意のシステムまたはその部分の典型であり得る。デバイス１０２は、たとえば、移動デバイス、または、可動でありながら、主として固定のままであるように意図されたデバイスを含み得る。このように、ここで使用される場合、「デバイス」と「移動デバイス」という用語は、各用語が、無線信号を送信および／または受信し得る、任意の組合せ可能なデバイスのグループ、または、任意の単一のデバイスのことを言及するように意図されている場合、互いに互換性をもって使用され得る。「受信する」および「捕捉する」という用語は、ここでは互いに互換性をもって使用され、両者は、無線信号によって搬送される情報が受信機によって捕捉されるといった、無線信号の受信を表すように意図されている。
【００１５】
このことに留意し、かつ、限定ではなく例として、図１にアイコンを使用して示されているように、デバイス１０２は、セルラー電話、スマートフォン、携帯情報端末（personal digital assistant）、携帯用コンピュータデバイスといった移動デバイス等、または、それらの任意の組合せを含み得る。他の例示的な実施において、デバイス１０２は、移動用または固定用の機械の形態もとり得る。さらに他の例示的な実施において、デバイス１０２は、別のデバイスで使用されるように動作的に適応させられ得る１つ以上の集積回路、回路基板、等の形態もとり得る。
【００１６】
デバイス１０２の形態に関わらず、デバイス１０２は、少なくとも２つの無線機１１２−１および１１２−２を含むことができ、無線機の各々は、ある方法で並行して動作するように適応させられ得る。ここで使用されている「無線機」という用語は、無線信号を受信および／または無線信号を送信するように適応させられ得る、任意の回路構成要素、等のことを言う。ある特定の実施において、２つ以上の無線機は、回路構成要素の一部、等（たとえば、処理ユニット、メモリ、アンテナ、等）を共有するように適応させられ得る。
【００１７】
限定ではなく例として、ここに提示されているいくつかの例において、デバイス１０２は、少なくとも１つの航法システム１０６（たとえば、衛星ポジショニングシステム、等）に関連づけられる無線信号を受信するように適応させられる第１の無線機、および、少なくとも１つの無線システム１０４に関連づけられる無線信号を受信および送信するように適応させられる第２の無線機を含み得る。無線システム１０４は、たとえば、無線通信システム、たとえば、無線電話システム、無線ローカルエリアネットワーク、等を含み得る。無線システム１０４は、たとえば、無線放送システム、たとえば、テレビ放送システム、ラジオ放送システム、等を含みうる。ある特定の実施において、デバイス１０２は、無線システム１０４から無線信号を受信するようにのみ適応させられる場合がある一方、他の実施において、移動局１０２は、無線システムに無線信号を送信するようにのみ適応させられる場合もある。
【００１８】
図１に示されているように、無線システム１０４は、雲１１０で簡潔に表されている他のデバイスおよび／またはリソースと、通信するように、および／または、そうでなければ動作的に接続するように、適応させられ得る。たとえば、雲１１０は、１つ以上の通信デバイス、システム、ネットワークまたはサービス、および／または、１つ以上のコンピュータデバイス、システム、ネットワークまたはサービス、等、またはそれらの任意の組合せを含み得る。
【００１９】
無線システム１０４は、たとえば、無線信号を受信および／または送信するように適応させられ得る任意の無線通信システムまたはネットワークの典型であり得る。限定ではなく例として、無線システム１０４は、無線ワイドエリアネットワーク（wireless wide area network：ＷＷＡＮ）、無線ローカルエリアネットワーク（wireless local area network：ＷＬＡＮ）、無線パーソナルエリアネットワーク（wireless personal area network：ＷＰＡＮ）、無線メトロポリタンエリアネットワーク（wireless metropolitan area network：ＷＭＡＮ）、ブルートゥース（登録商標）通信システム、ＷｉＦｉ通信システム、移動通信のためのグローバルシステム（Global System for Mobile communications：ＧＳＭ（登録商標））のシステム、エボリューションデータオンリー／エボリューションデータオプティマイズド（Evolution Data Only/Evolution Data Optimized：ＥＶＤＯ）通信システム、ウルトラモバイルブロードバンド（Ultra Mobile Broadband：ＵＭＢ）通信システム、ロングタームエボリューション（Long Term Evolution：ＬＴＥ）通信システム、モバイル衛星サービス−補助地上波コンポーネント（Mobile Satellite Service -Ancillary Terrestrial Component：ＭＳＳ−ＡＴＣ）通信システム、等を含み得る。
【００２０】
「ネットワーク」および「システム」という用語は、ここでは互いに互換性をもって使用され得る。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、等であってもよい。ＣＤＭＡネットワークは、無線技術のほんの一例を挙げてみただけでも、広帯域ＣＤＭＡ（Ｗ−ＣＤＭＡ）、ｃｄｍａ２０００といった１つ以上の無線接続技術（radio access technologies：ＲＡＴｓ）を実施し得る。ここで、ｃｄｍａ２０００は、ＩＳ−９５、ＩＳ−２０００およびＩＳ−８５６規格によって実施される技術を含み得る。ＴＤＭＡネットワークは、移動通信のためのグローバルシステム（ＧＳＭ）、デジタル・アドバンスド・モバイルフォン・システム（Digital Advanced Mobile Phone System：Ｄ−ＡＭＰＳ）、または、ある別のＲＡＴを実施し得る。ＧＳＭおよびＷ−ＣＤＭＡは、「第３世代パートナーシッププロジェクト」（３ＧＰＰ）という名称のコンソーシアムによる文書で説明されている。ｃｄｍａ２０００は、「第３世代パートナーシッププロジェクト２」（３ＧＰＰ２）という名称のコンソーシアムによる文書で説明されている。３ＧＰＰおよび３ＧＰＰ２の文書は、公に入手可能である。たとえば、ＷＬＡＮはＩＥＥＥ８０２.１１ｘネットワークを含むことができ、ＷＰＡＮはブルートゥースネットワーク、ＩＥＥＥ８０２．１５ｘを含むことができる。ここに説明されているそのような位置決定技術は、また、ＷＷＡＮ、ＷＬＡＮ、ＷＰＡＮ、ＷＭＡＮ、等の任意の組合せにも使用され得る。
【００２１】
無線システム１０４は、たとえば、無線信号を少なくとも受信するように適応させられ得る任意の無線放送システムの典型でありうる。限定ではなく例として、無線放送システムは、メディアフロー（MediaFLO）システム、デジタルＴＶシステム、デジタルラジオシステム、移動体デジタルテレビ放送（Digital Video Broadcasting−Handheld：ＤＶＢ−Ｈ）システム、デジタルマルチメディア放送（Digital Multimedia Broadcasting：ＤＭＢ）システム、地上デジタル放送統合サービス（Integrated Services Digital Broadcasting−Terrestrial：ＩＳＤＢ−Ｔ）システムおよび／または他の同様のシステム、および／または、関連する放送技術を含み得る。
【００２２】
デバイス１０２は、複数のＳＰＳ信号送信衛星１０６−１、１０６−２、１０６−３、・・・１０６−ｘを有する衛星ポジショニングシステム（ＳＰＳ）として図１に示されている少なくとも１つの航法システム１０６から、無線信号を少なくとも受信するように適応させられ得る。当業者は、航法システム１０６が、示されている衛星に追加して、または、その代わりに、追加の送信および／または他のサポートデバイスを含み得ることを理解するであろう。
【００２３】
ある特定の実施において、航法システム１０６は、他の非航法関連サービス（たとえば、通信サービス等）を提供するように適応させられ得る。ある特定の実施において、デバイス１０２は、そのようなものとして、航法システム１０６に無線信号を送信するように適応させられ得る。
【００２４】
デバイス１０２は、また、複数のＳＰＳ信号送信衛星１０８−１、１０８−２、１０８−３、・・・１０８−ｙを有するＳＰＳとして図１に示されている、少なくとも１つの他の航法システム１０８から、無線信号を少なくとも受信するようにも適応させられ得る。
【００２５】
航法システム１０６および／または１０８の衛星飛行体（satellite vehicles：ＳＶｓ）は、それぞれ独自のＳＰＳ信号を送信するように適応させられることができ、少なくともその一部は、デバイス１０２によって受信され、かつ、航法用のある方法で使用されることができ、たとえば、時間、距離、位置、ポジション、等を決定する。具体的な航法シグナリングおよび位置決定技術は、使用されている（単数または複数の）航法システムによって異なり得る。そのようなＳＶｓは、同一または異なるキャリア周波数で１つ以上の信号を送信するように適応させられ得る。たとえば、ＧＰＳ衛星は、同一帯域内でＬ１Ｃ／ＡおよびＬ１Ｃ信号を、ならびに、他のキャリア周波数でＬ２ＣおよびＬ５信号を、送信するように適応させられ得る、等である。さらに、そのようなＳＰＳ信号は、暗号化された信号を含み得る。
【００２６】
ＳＰＳは、エンティティに、送信機から受信された信号に少なくとも部分的に基づいて、地球上またはその上空におけるそれらの位置を決定することを可能にさせるように配置された、送信機のシステムを、一般的に含む。そのような送信機は、一般的に、チップのセット数（a set number of chips）の反復する擬似−ランダムノイズ（ＰＮ）符号で特徴づけられた信号を送信し、地上コントロール局（ground based control stations）、ユーザ機器（user equipment）および／または宇宙飛行体（space vehicles）に設置され得る。特定の例において、そのような送信機は、地球の軌道を回るＳＶｓに設置され得る。たとえば、グローバル・ポジショニング・システム（ＧＰＳ）、ガリレオ、グロナスまたはコンパスといった、全地球的航法衛星システム（ＧＮＳＳ）のコンステレーション（constellation）におけるＳＶは、そのコンステレーションで、他のＳＶｓによって送信されたＰＮ符号とは区別可能なＰＮ符号で特徴づけられた信号を送信し得る。ある特定の態様によると、ここに提示されている技術は、ＳＰＳ用の全地球的システム（たとえば、ＧＮＳＳ）に限定されない。たとえば、ここで提供されている技術は、１つ以上の全地球的および／または局地的航法衛星システムでの使用に関連、またはそうでなければ、適応させられ得るさまざまな補強システム（たとえば、静止衛星型衛星航法補強システム（ＳＢＡＳ））、および／または、中国における北斗（Beidou）、インドにおけるインド局地的航法衛星システム（Indian Regional Navigational Satellite System：ＩＲＮＳＳ）、日本における準天頂衛星システム（Quasi-Zenith Satellite System：ＱＺＳＳ）等のさまざまな局地的システム、での使用に適用、またはそうでなければ、適応させられ得る。限定ではなく例として、ＳＢＡＳは、インテグリティ情報（integrity information）、ディファレンシャル補正（differential corrections）等を提供する（単数または複数の）補強システム、たとえば、ワイドエリア補強システム（Wide Area Augmentation System：ＷＡＡＳ）、欧州静止衛星による衛星航法補強サービス（European Geostationary Navigation Overlay Service：ＥＧＮＯＳ）、運輸多目的衛星用補強システム（Multi-functional Satellite Augmentation System：ＭＳＡＳ）、ＧＰＳに補助された地上補強航法、または、ＧＰＳおよび地上補強航法システム（GPS Aided Geo Augmented Navigation or GPS and Geo Augmented Navigation system：ＧＡＧＡＮ）、等を含み得る。そのようなＳＢＡＳは、たとえば、ある特定の無線通信信号、等によって干渉され得るＳＰＳ信号および／またはＳＰＳのような信号を送信し得る。このように、ここで使用されているとおり、ＳＰＳは、１つ以上の全地球的および／または局地的航法衛星システム、および／または、補強システムの任意の組合せを含むことができ、ＳＰＳ信号は、そのような１つ以上のＳＰＳに関連づけられた、ＳＰＳ信号、ＳＰＳのような信号、および／または、他の信号を含み得る。
【００２７】
その位置を推定するために、デバイス１０２は、ＳＶｓから受信された信号におけるＰＮ符号の検出に少なくとも部分的に基づいて、周知技術を使用し、その受信無線機の「視野内の」、ＳＶｓまでの擬似距離測定値を決定しうる。ＳＶまでのそのような擬似距離は、受信無線機で受信された信号を捕捉するプロセス中、そのＳＶに関連づけられるＰＮ符号で特徴づけられた、受信された信号において検出された符号位相に少なくとも部分的に基づいて、決定され得る。受信された信号を捕捉するために、デバイス１０２は、たとえば、ＳＶに関連づけられる局部的に生成されたＰＮ符号と、受信された信号とを相関させるように、適応させられ得る。たとえば、デバイス１０２は、そのような局部的に生成されたＰＮ符号の、符号および／または時間シフトされた複数のバージョンと、そのような受信された信号とを相関し得る。最も高い信号パワーとの相関結果を生み出す、特定の時間および／または符号シフトされたバージョンの検出は、上述されたとおり、擬似距離の測定に使用するための捕捉信号に関連づけられる符号位相を示し得る。
【００２８】
このように、ある特定の実施において、デバイス１０２は、他のデバイスからの追加のサポートなしに、そのような方法または他の同様の方法で、その位置を決定するように適応させられ得る。しかし、他の実施において、デバイス１０２は、他の航法関連動作のサポートおよび／またはその位置の決定のために、１つ以上の他のデバイスと、ある方法で動作するように適応させられ得る。そのような航法技術は周知である。
【００２９】
ある特定の実施において、デバイス１０２は、たとえば、ＧＰＳ、ガリレオ、グロナス、コンパスといった１つ以上のＧＮＳＳ、または、これらのシステムの組合せを使用する他の同様のシステム、または、将来開発される任意のＳＰＳからのＳＰＳ信号を受信するように適応させられることができ、各々は、概してここではＳＰＳと呼ばれる。ここに使用されているように、ＳＰＳは、また、シュードライト（pseudolite）システムを含むものと理解されるであろう。
【００３０】
シュードライトは、ＧＰＳ時間と同期され得るＬ帯域（または他の周波数）キャリア信号で変調された（ＧＰＳまたはＣＤＭＡセルラー信号と同様の）ＰＮ符号または他のレンジング符号を同報する、地上（ground-based）送信機である。そのような各送信機には、遠隔受信機による識別を可能にするように、独自のＰＮ符号が割り当てられ得る。シュードライトは、軌道を回るＳＶからの信号が利用不可能であるかもしれない状況、たとえば、トンネル、鉱山、ビル、都市部の谷間（urban canyons）または他の囲まれたエリアで、役立ち得る。シュードライトの別の実施は、無線ビーコンとして知られている。「衛星」および「ＳＶ」という用語は、ここで使用されているように、互いに互換性があり、シュードライト、シュードライトの等価物、あるいは他のものを含むことが意図されている。「ＳＰＳ信号」という用語は、ここで使用されているように、シュードライトまたはシュードライトの等価物からのＳＰＳのような信号を含むことが意図されている。
【００３１】
デバイス１０２の無線機１１２−１および１１２−２は、本明細書のある特定の態様にしたがって並行して動作するように適応させられ得る。以下の例に示されているように、ある特定の実施において、１つ以上の無線機１１２−１および１１２−２に関連づけられる、送信された無線信号および／または回路構成要素は、デバイス１０２内の、それに関連づけられた他の１つ以上の無線機および／または回路構成要素に干渉、またはそうでなければ、影響し得る。ある特定の実施において、デバイス１０２の動作性能を減じ得るような、そのような干渉または潜在的に有害な他の影響を、低減または回避することが、所望され得る。
【００３２】
そのような潜在的な干渉の例は、無線機１１２−１を、ＳＰＳ信号を受信するように適応させ、無線機１１２−２を、無線システム１０４に関連づけられる送信および／または受信無線信号において適応させることにより、説明され得る。ＳＶｓによって送信されるＳＰＳ信号は、無線機１１２−１によって受信されるときには実質的に弱い場合もあり、結果として他の信号および／または故意でない電磁的ノイズソース、特に、無線機１１２−２と無線システム１０４間で送信される無線信号がことによればとり得る、より強度が大きい信号による干渉をより受けやすい。
【００３３】
無線機１１２−１と１１２−２を並行して使用することは、信号の各々が、異なる周波数で、および／または、異なる周波数帯域および／またはチャネルで送信され得る場合であっても、ある特定の状況下では、無線機１１２−１によるＳＰＳ信号受信を干渉し得る。このように、たとえば、ある特定の実施において、無線機１１２−２と無線システム１０４間で送信された無線信号は、送信された信号の一部またはコンポーネントが無線機１１２−１によるＳＰＳ信号受信に干渉し得る著しい強度でありうる。たとえば、本明細書の一態様によると、約７００ＭＨｚで送信される無線通信信号の１つ以上の高調波コンポーネント（たとえば、第２高調波）は、ある特定の状況下では、約１５７５ＭＨｚで送信されるＳＰＳ信号（たとえば、ＧＰＳ Ｌ１帯域ＧＮＳＳ信号）のためのＳＰＳ信号受信に干渉し得ることが考えられる。
【００３４】
本明細書の別の態様によると、無線通信信号の１つ以上の高調波コンポーネントは、さまざまな他の周波数において、ある特定の状況下では、ＳＰＳ信号のためのＳＰＳ信号受信に干渉し得ることが考えられる。さらなる例として、ＭＳＳ−ＡＴＣ Ｌ帯域通信（MSS-ATC L-band communications）は、ある特定のＳＰＳ信号に干渉し得る。たとえば、現在の計画では、（たとえば、ダウンリンクシグナリングが１５２６−１５３６ＭＨｚと１５４５−１５５５Ｍｈｚで生じ、アップリンクシグナリングが１６２７−１６３８ＭＨｚと１６４６−１６５７Ｍｈｚで生じ得る）ある特定の既存のＧＮＳＳ信号に近接するＬ１周波数帯域において、広帯域地上（セルラー）通信（wideband terrestrial (cellular) communications）のためのスペクトラムを認可するようになっている。別の例では、帯域外発射（out-of-band emissions）の厳密な仕様があっても、８０２．１１ｂ／ｇとセルラー帯域ＣＤＭＡ間の相互変調により、ある特定のＬ１帯域ＧＮＳＳ信号に干渉する可能性がある。ここで、たとえば、２．４ＧＨｚの８０２．１１ｂ／ｇと８００ＭＨｚのセルラー帯域ＣＤＭＡ間のそのような送信相互変調は、Ｌ１帯域ＧＮＳＳ信号に干渉するスペクトルを、生み出しうる。さらに別の例において、４５０ＭＨｚ帯域通信の、または、それに近接する無線通信は、たとえば、送信エンベロープ（transmit envelope）の第４高調波によって、Ｌ１帯域ＧＮＳＳ信号に干渉し得る。ある特定のＧＮＳＳ信号に干渉（たとえば、広帯域デセンス（broadband desense）を促進）し得る信号は、ほんの数例しかない。
【００３５】
さらに、別のタイプの干渉がＳＰＳ信号受信に関して生じうる。たとえば、ＧＮＳＳ局部発振器（ＬＯ）誘発物（spurs）（たとえば、ＧＮＳＳ ＬＯそのものからの誘発物、または、ＧＮＳＳ ＬＯへの別のデジタル信号の漏洩（leakage））等が、ＧＮＳＳ帯域内妨害電波を生成し得るような方法で、送信（アップリンク）信号と混合することにより、干渉に至る場合もある。そのような誘発物は、たとえば、特定のＧＮＳＳ帯域に存在しうるが、別には存在しない場合もある。
【００３６】
後続のセクションでより詳細に説明されているように、デバイス１０２は、ここに提供されている例示的な方法および装置にしたがい、無線機１１２−１および１１２−２を並行して動作することを可能にしうる。たとえば、ある特定の実施において、デバイス１０２（たとえば、図３を参照）は、少なくとも第１のモードと第２のモードで選択的に動作するように適応させられた、少なくとも１つの衛星ポジショニングシステム（ＳＰＳ）受信機（３０４）と、少なくとも１つの無線システムインターフェース３０６を含みうる。ここで、たとえば、ＳＰＳ受信機３０４は、第１のモードで動作する場合には第１のＳＰＳ信号３３２を捕捉し、第２のモードで動作する場合には第２のＳＰＳ信号３３４を捕捉するように適応させられうる。ある特定の実施において、第１および第２のＳＰＳ信号は、１つのＧＮＳＳまたは（単数または複数の）異なるＧＮＳＳに関連づけられうる。デバイス１０２は、また、ＳＰＳ受信機３０４が、無線システムインターフェース３０６に関連づけられる少なくとも１つの動作状態に少なくとも部分的に基づいて、第１のモードか第２のモード（または、ことによると、ある別のモード）で動作することを、規定するように適応させられうる、少なくとも１つのコントローラを含みうる。このように、たとえば、デバイス１０２は、無線システムインターフェース３０６に関連づけられる動作状態に少なくとも部分的に基づいて、ある周波数、周波数帯域または周波数チャネルで受信するＳＰＳ受信機を、別の周波数、周波数帯域または周波数チャネルへ、選択的に遷移しうる。別の例において、デバイス１０２は、無線システムインターフェース３０６に関連づけられる動作状態に基づいて、あるＧＮＳＳからのＳＰＳ信号を捕捉するＳＰＳ受信機を、少なくとも１つの別のＧＮＳＳからのＳＰＳ信号を捕捉するように、選択的に遷移しうる。そのようなものとして、デバイス１０２は、無線システムインターフェース３０６に関連づけられる少なくとも１つの動作状態に基づいて、ＳＰＳ受信機３０４を能動的に適応させることにより、有害なＳＰＳ信号干渉を回避、またはそうでなければ、低減することを可能にしうる。
【００３７】
この適応能力に留意し、図２は、さまざまな例示的なＧＮＳＳに関連づけられる複数の無線信号送信の異なるスペクトルの典型を示すグラフ２００である。グラフ２００に示された網羅的ではない例では、さまざまな異なるタイプのスペクトルが、ある周波数帯域に関連づけられる特定の規格、周波数帯域および／またはチャネル内にありうるキャリアまたは中心周波数（ｆｎ）を中心とする、またはそうでなければ、それに関連づけられるように、示されている。当業者は、図２のスペクトルならびにさまざまな周波数はは、ただ例示的であるものと意図され、形状、配置および／サイズによって、実際の波形、通信方式または技術等を表すものとは意図されず、および／またはそうでなければ、ここに請求されている主題の範囲をある方法で限定するものとは意図されていないことを、理解するであろう。
【００３８】
このように、グラフ２００を参照すると、限定ではなく例として、ＳＰＳ信号３３２および／または３３４は、ＧＰＳ Ｌ１Ｃ／Ａおよび／またはＬ１Ｃ帯域信号（スペクトル２１６によって表され、ｆ７≒１５７５．４２ＭＨｚ）、ＧＰＳ Ｌ２Ｃ帯域信号（スペクトル２０６によって表され、ｆ３≒１２２７．６０ＭＨｚ）、ＧＰＳ Ｌ５帯域信号（スペクトル２０２によって表され、ｆ１≒１１７６．４５ＭＨｚ）、ガリレオＬ１Ｆ帯域信号（スペクトル２１６によって表され、ｆ７≒１５７５．４２ＭＨｚ）、ガリレオＥ５Ａ帯域信号（スペクトル２０２によって表され、ｆ１≒１１７６．４５ＭＨｚ）、グロナスＬ１帯域信号（スペクトル２２２によって表され、ｆ９≒１６０１ＭＨｚ）、グロナスＬ２帯域信号（スペクトル２０８によって表され、ｆ４≒１２４６ＭＨｚ）、コンパス（北斗）Ｌ１帯域信号（スペクトル２１２によって表され、ｆ６≒１５６１ＭＨｚ、および、スペクトル２２０、ｆ８≒１５９０ＭＨｚ）、コンパス（北斗）Ｌ２帯域信号（スペクトル２０４によって表され、ｆ２≒１２０７ＭＨｚ、および、スペクトル２１０、ｆ５≒１２６８ＭＨｚ）、等の、ＧＮＳＳ信号を含みうる。
【００３９】
図２に示されているように、さまざまなＳＰＳ信号がさまざまな周波数にわたって分配され、それによって、そのようなＳＰＳ信号間でＳＰＳ受信機を選択的にスイッチすることが、ＳＰＳ信号の受信および捕捉に影響しうる干渉を回避またはそうでなければ低減することを、デバイス１０２に、可能にさせうる。限定ではなく例として、無線システムに関連づけられる干渉は、７００ＭＨｚで送信された信号の第２高調波によって、ＧＰＳ Ｌ１帯域のデセンス（desense）（たとえば、高ノイズフロア（elevated noise floor））を増大しうる。例示的な一態様によると、ＳＰＳ受信機のモードは、ＧＰＳ Ｌ１帯域／信号を回避し、そのかわりに、そのような干渉を低減および／または回避するためにＧＰＳ Ｌ２Ｃ帯域／信号に集中するように、変更されうる。
【００４０】
一態様によると、ここに提供されている方法および装置は、低電流受信機において、そのような選択的／動的なモードスイッチングを提供するように実施されうる。たとえば、潜在的な妨害電波等への耐性を提供するために線形性の高い受信機を設計するかわりに、妨害電波耐性を低減されたレベルで提供しうるかわりに、モードスイッチングを用いて問題の少ない１つ以上のＳＰＳ信号を見つけるマルチモード受信機を設計してもよい。そのような受信機は、たとえば、ある特定の例示的な実施において、縮小されたダイ面積（die area）で実施されうる。
【００４１】
ここで、図３を参照するが、これは環境１００で使用されるように適応させられ得る例示的なシステム３００を示すブロック図である。示されているように、デバイス１０２は、少なくとも１つのＳＰＳ受信機３０４と少なくとも１つの無線システムインターフェース３０６を含みうる。ＳＰＳ受信機３０４は、ＳＰＳ１０６および／またはＳＰＳ１０８によって送信される、少なくとも第１のＳＰＳ信号３３２と第２のＳＰＳ信号３３４を捕捉するように、選択的に適応可能である。ＳＰＳ受信機３０４は、動作モード３２０に少なくとも部分的に基づいて、ＳＰＳ信号を選択的に受信するように選択的に適応させられうる、少なくとも１つのモード設定可能回路を含みうる。動作モード３２０は、たとえば、コントローラ３０２または他の同様の回路構成要素によって、規定（たとえば、ある方法で、開始、提供、選択、またはそうでなければ確立）されうる。動作モード３２０は、無線システムインターフェース３０６に関連づけられる少なくとも１つの動作状態３２２に少なくとも部分的に基づくこともできる。
【００４２】
第１のモード３１２にしたがって選択的に適応させられると、ＳＰＳ受信機３０４は、たとえば、第１のチャネル３４２または第１の周波数または周波数帯域３５２によって、第１のＳＰＳ信号３３２を受信するように選択的に適応させられうる。第２のモード３１４にしたがって選択的に適応させられると、ＳＰＳ受信機３０４は、たとえば、第２のチャネル３４４または第２の周波数または周波数帯域３５４によって、第２のＳＰＳ信号３３４を受信するように選択的に適応させられうる。
【００４３】
コントローラ３０２は、たとえば、メモリ３１０に動作的に接続された少なくとも１つの処理ユニット３０８または他の同様の制御ロジックまたは回路構成要素を含みうる。この例に示されているように、メモリ３１０は、第１のモード３１２、第２のモード３１４、互換性情報３１６、動作状態３２２、等のうち少なくとも１つに関連する情報および／または命令を含むこともでき、またはそうでなければ、それらを記憶および提供するように適応させられることもできる。メモリ３１０は、たとえば、処理ユニット３０８による使用に適した、コンピュータで実施可能な命令を含みうる。
【００４４】
そのような命令および／または他の情報、またはそれらの一部は、たとえば、ＳＰＳ受信機３０４、無線システムインターフェース３０６、および／または、コンピュータ可読媒体３６０によって、処理ユニット３０８および／またはメモリ３１０に提供されうる。たとえば、コントローラ３０２および／またはメモリ３１０は、製造中、または、後のある時に、媒体３６０によって提供された命令または情報に基づいて、ある方法で、プログラム化され、またはそうでなければ、適応させられうる。たとえば、コントローラ３０２および／またはメモリ３１０は、製造中、または、後のある時に、ＳＰＳ受信機３０４によって提供またはアクセスされた命令または情報に基づいて、ＳＰＳ受信機３０４で使用するように、ある方法で、プログラム化され、またはそうでなければ、適応させられうる。ある特定の実施において、たとえば、ＳＰＳ受信機３０４は、周期的に、動的に、および／または、ある他の方法で、モード設定可能回路３３０の現在の動作モード３２０および／または利用可能な動作モードを識別する。
【００４５】
他の例示的な実施において、コントローラ３０２および／またはメモリ３１０は、製造中、または、後のある時に、無線システムインターフェース３０６により提供またはアクセスされた命令または情報に基づいて、無線システムインターフェース３０６で使用するためのある方法で、プログラム化され、またはそうでなければ、適応させられ得る。ある特定の実施において、たとえば、無線システムインターフェース３０６は、周期的に、動的に、および／または、他のある方法で、少なくとも１つの動作状態３２２を識別しうる。ここでは、動作状態３２２は、たとえば、無線システムインターフェース３０６に含まれうる、少なくとも１つの受信機３２４、少なくとも１つの送信機３２６、および／または、少なくとも１つのトランシーバ３２８に関連づけられうる。
【００４６】
限定ではなく例として、動作状態３２２は、周波数に関連する動作状態、タイミングに関連する動作状態、送信に関連する動作状態、受信に関連する動作状態、等、または、それらの任意の組合せに関連しうる。例として、周波数に関連する動作状態は、無線システムインターフェース３０６および／または無線システム１０４についての、周波数、周波数帯域、周波数帯域におけるチャネル、等または関連する周波数情報を規定しうる。このように、ある特定の実施において、動作状態３２２は、無線システムインターフェース３０６を、７００ＭＨｚのの無線信号等を受信および／または送信するように適応させることを、ある方法で、規定しうる。動作状態３２２は、無線システムインターフェース３０６がある特定のタイプの無線機であることを、ある方法で識別することができ、そのようなものとして、周波数に関連する動作状態が、そのタイプの無線機に基づいて知らされうる。
【００４７】
タイミングに関連する動作状態は、たとえば、無線システムインターフェース３０６および／または無線システム１０４の動作についての、時間または期間等を規定しうる。このように、ある特定の実施において、動作状態３２２は、無線システムインターフェース３０６を、規定された時間に、またはその間に、無線信号を受信および／または送信するように適応させることを、ある方法で規定しうる。
【００４８】
送信に関連する動作状態は、たとえば、無線システムインターフェース３０６が、無線信号を送信するように適応させられることを規定し、および／または、送信機３２６および／またはトランシーバ３２８の送信能力についての他の情報、および／または、無線システム１０４に関連づけられる同様の送信情報を含みうる。このように、ある特定の実施において、動作状態３２２は、無線システムインターフェース３０６が、無線信号を送信するように適応させられることを、ある方法で規定しうる。
【００４９】
受信に関連する動作状態は、たとえば、無線システムインターフェース３０６が、無線信号を受信するように適応させられることを規定し、および／または、受信機３２４および／またはトランシーバ３２８の受信能力についての他の情報を含みうる。このように、たとえば、動作状態３２２は、無線システムインターフェース３０６が無線信号を受信するように適応させられることを、ある方法で規定しうる。事実、ある特定の実施において、動作状態３２２は、無線システムインターフェース３０６が無線信号を受信するように適応させられるのみであることを、規定しうる。
【００５０】
ここでの例に示されているように、動作状態３２２は、無線システムインターフェース３０６についてのさまざまなレベルの情報を規定するように適応させられうる。たとえば、動作状態３２２は、無線システムインターフェース３０６が、有るか無いか、活性化されているか非活性化されているか、あるタイプか別のタイプか、等を簡潔に規定しうる。図３に示されているように、動作状態３２２は、無線システムインターフェース３０６によって提供されてもよく、または、メモリ３１０によって提供されてもよい。そのようなものとして、ある特定の実施において、動作状態３２２は動的に確立されうる一方、他の実施において、動作状態３２２はプログラム可能に確立されうる。
【００５１】
コントローラ３０２は、たとえば、動作モード３２０によって、ＳＰＳ受信機３０４の動作を、選択的に設定し、またはそうでなければ、その変更を開始するように、適応させられうる。図３の例示的なシステムに示されているように、動作モード３２０は、たとえば、ＳＰＳ受信機３０４および／またはメモリ３１０に提供されうる。
【００５２】
コントローラ３０２は、たとえば、メモリ３１０に提供されうる互換性情報３１６に少なくとも部分的に基づいて、第１のモード３１２と第２のモード３１４間での、ＳＰＳ受信機３０４の動作の変更を、選択的に開始するように適応させられうる。限定ではなく例として、互換性情報３１６は、上記無線システムインターフェース３０４に関連づけられる少なくとも１つの動作状態３２２が、第１のモード３１２または第２のモード３１４のどちらかと、互換性が動作的により少ない、または、より多くありうることを、ある方法で、規定しうる。たとえば、互換性情報は、ＳＰＳ受信機３０４と無線システムインターフェース３０６に関連づけられる、「互換性」および／または「非互換性」動作態様をリストにしたデータ（たとえば、ルックアップテーブル、等）を含みうる。たとえば、互換性情報は、処理ユニット３０８が、ＳＰＳ受信機３０４と無線システムインターフェース３０６に関連づけられる、ある特定の「互換性」および／または「非互換性」動作態様を、どのようにして決定しうるかを規定しうる命令（たとえば、ルール等）を含みうる。
【００５３】
そのようなものとして、コントローラ３０２は、たとえば、動作状態３２２および互換性情報３１６に少なくとも部分的に基づいて別の動作モードで動作するようにＳＰＳ受信機３０４を遷移することが、有益でありうるかどうかを、決定するように適応させられうる。ある特定の実施において、互換性情報３１６は、たとえば、製造中および／または、後のある時に、プログラム可能に確立されうる。ある特定の実施において、互換性情報３１６は、たとえば、デバイス１０２の使用中または後に、動的に確立（たとえば、学習）されうる。たとえば、処理ユニットは、ＳＰＳ受信機３０４の動作をモニタリング（またはそうでなければ、それについての情報にアクセス）する一方、種々のモードで動作するよう試みることにより、ＳＰＳ受信機３０４と無線システムインターフェース３０６に関連づけられる、ある特定の「互換性」および／または「非互換性」動作態様を、識別するように適応させられうる。
【００５４】
ある特定の実施において、１つ以上のＳＰＳ受信機は、１つ以上のモードで動作するように適応させられうる。そのようなモードは、たとえば、特定のＳＰＳ信号（specific SPS signals）を受信することを含みうる一方、そのようなモードは、複数のＳＰＳ信号（a plurality of SPS signals）を受信することを含みうる。たとえば、ＳＰＳ受信機は、同時に、１つ以上のＳＰＳ信号について複数の周波数をモニタし、１つ以上の無線システムの動作状態によって、複数の周波数および／またはＳＰＳ信号のうち、１つ以上を選択するように適応させられうる。
【００５５】
ここで、図４を参照するが、これは、たとえば、デバイス１０２等で実施されうる例示的な方法４００を示すフロー図である。
【００５６】
ブロック４０２において、無線システムインターフェースに関連づけられる少なくとも１つの動作状態が識別されうる。ブロック４０２は、たとえば、ブロック４０８において少なくとも１つの動的に確立された動作状態を識別すること、および／または、ブロック４１０において少なくとも１つのプログラム可能に確立された動作状態を識別することを含みうる。
【００５７】
ブロック４０４において、ＳＰＳ受信機の動作のモードは、ブロック４０２において識別された動作状態に少なくとも部分的に基づいて、選択的に規定されうる。ブロック４０４は、たとえば、ブロック４１２においてＳＰＳ受信機の動作の現在のモードが、無線システムインターフェースの動作と十分に「互換性がある」かどうかを判断することを含みうる。ブロック４０４は、たとえば、ブロック４１４において、現在のモードから別のモードへ、ＳＰＳ受信機の動作のモードを選択的に変更することを含みうる。
【００５８】
ブロック４０６において、無線システムインターフェースとＳＰＳ受信機は、ある方法で並行して動作しうる。たとえば、ある特定の実施において、ブロック４０６において、ＳＰＳ受信機が受信している一方で、無線システムインターフェースが受信していることもできる。たとえば、ある特定の実施において、ブロック４０６において、ＳＰＳ受信機が受信している一方で、無線システムインターフェースが送信していることもできる。
【００５９】
図５は、単一の受信パスモード設定可能回路３３０−１を有する例示的なデバイス５００のある特定の特徴を示すブロック図である。モード設定可能回路３３０−１は、コントローラ３０２−１に動作的に接続されてもよく、これは無線システムインターフェース３０６−１から３０６−ｎのうち少なくとも１つに動作的に接続されてもよい。示されているように、複数のアンテナが無線システムインターフェース３０６−１から３０６−ｎに供給されてもよく、そのいくつか、または、すべてが、１つ以上のアンテナを共有しうる。このように、この例において、アンテナ５０２はアンテナＴ１と標記され、アンテナ５０４はアンテナＴｍと標記され、そのｍは、ｎと等しくてもよいし、必ずしも等しくなくてもよいことを表す。
【００６０】
コントローラ３０２−１は、たとえば、ＳＰＳ受信機が、少なくとも１つの無線システムインターフェースに関連づけられる少なくとも１つの動作状態に少なくとも部分的に基づいて、特定のモードで動作することを、規定するように適応させられうる。この例において、コントローラ３０２−１は、モード設定可能回路３３０−１に、ある方法で動作的に影響することによって、説明されているようなモードを、規定するように適応させられうる。たとえば、図５に示されているように、コントローラ３０２−１は、少なくとも１つの無線システムインターフェースに関連づけられる少なくとも１つの動作状態と、モード設定可能回路３３０−１が提供されるＳＰＳ受信機について規定されたモードに、少なくとも部分的に基づいて、セレクタ５１８および／またはＬＯ周波数生成器５２２に、動作的に影響しうる。このように、コントローラ３０２−１によって影響されるセレクタ５１８および／またはＬＯ周波数生成器５２２は、所望の動作のモードを選択的に規定しうる。
【００６１】
たとえば、セレクタ５１８は、１つ以上のアンテナで始まる複数の回路によって受信された複数のＳＰＳ信号間で選択しうる。示されているように、複数のアンテナが、ＳＰＳ受信機に供給され、そのいくつか、または、すべてが共有されうる。この例において、アンテナ５０６はアンテナＧ１と標記され、アンテナ５０８はアンテナＧｙと標記される。アンテナ５０６は、その出力をセレクタ５１８によって選択可能にさせうる低ノイズ増幅器（ＬＮＡ）５１２にその出力を接続させうるバンドパスフィルタ（ＢＰＦ）５１０に、接続されうる。同様に、アンテナ５０８は、その出力もまたセレクタ５１８によって選択可能にさせうるＬＮＡ５１６にその出力を接続させうるＢＰＦ５１４に、接続されうる。そして、セレクタ５１８によって選択された出力は、ＬＯ周波数生成器５２２からの出力とともに、ミキサ５１２に供給されうる。ミキサ５２０の出力は、ローパスフィルタ（ＬＰＦ）５２４に接続され、その出力がサンプル化され、アナログ−トゥ−デジタルコンバータ（ＡＤＣ）５２６に供給されうる。ＡＤＣ５２６からの出力は、さらなるデジタルベースバンド処理５３０を提供するために、追加の回路構成要素および／または論理に接続されうる。
【００６２】
図６は、複数の受信パスモード設定可能回路３３０−２−１から３３０−２−ｚを有する例示的なデバイスのある特定の特徴を示すブロック図である。モード設定可能回路３３０−２−１から３３０−２−ｚは、コントローラ３０２−２に動作的に接続されてもよく、それは、無線システムインターフェース３０６−１から３０６−ｎの少なくとも１つに動作的に接続されうる。
【００６３】
コントローラ３０２−２は、たとえば、ＳＰＳ受信機が、少なくとも１つの無線システムインターフェースに関連づけられる少なくとも１つの動作状態に少なくとも部分的に基づいて、特定のモードで動作することを、規定するように適応させられうる。この例において、コントローラ３０２−２は、モード設定可能回路３３０−２−１から３３０−２−ｚの少なくとも１つに、ある方法で動作的に影響することにより、説明されているようなモードを規定するように適応させられうる。
【００６４】
このように、図６に示されているように、コントローラ３０２−２は、たとえば、モード設定可能回路３３０−２−１のミキサ６１０にＬＯ周波数生成器６１６の出力を選択的に適用するように、セレクタ６１８に動作的に影響しうる。たとえば、コントローラ３０２−２は、少なくとも１つの無線システムインターフェースに関連づけられる少なくとも１つの動作状態に少なくとも部分的に基づいて、そのようにしうる。そのようなコントローラは、また、モード設定可能回路３３０−２が供給されるＳＰＳ受信機について規定されたモードに部分的に基づいても、そのようにしうる。このように、コントローラ３０２−２によって影響されるセレクタ６１８は、モード設定可能回路３３０−２−１にとって望ましい動作のモードを選択的に規定しうる。
【００６５】
同様に、さらに示されているように、コントローラ３０２−２は、たとえば、モード設定可能回路３３０−２−ｚのミキサ６２６に、ＬＯ周波数生成器６３２の出力を選択的に適用するために、セレクタ６３４に動作的に影響しうる。ここでは、コントローラ３０２−２は、少なくとも１つの無線システムインターフェースに関連づけられる少なくとも１つの動作状態と、モード設定可能回路３３０−２が供給されるＳＰＳ受信機について規定されたモードに少なくとも部分的に基づいて、そのようにしうる。このように、コントローラ３０２−２によって影響されるセレクタ６３４は、モード設定可能回路３３０−２−ｚにとって望ましい動作のモードを選択的に規定しうる。
【００６６】
例示的なモード設定可能回路３３０−２−１について、アンテナＧ１と標記されたアンテナ６０２は、ＬＮＡ６０８にその出力を接続させうるＢＰＦ６０６に接続され、それは、ＬＯ周波数生成器６１６から選択的に適用された出力とともに、または、それなしで、ミキサ６１０に、その出力を接続させうる。ミキサ６１０の出力は、ＬＰＦ６１２に接続され、その出力はサンプル化され、ＡＤＣ６１４に供給されうる。ＡＤＣ６１４からの出力は、さらなるデジタルベースバンド処理６２０を提供するために、追加の回路構成要素および／または論理に接続されうる。
【００６７】
例示的なモード設定可能回路３３０−２−ｚについて、アンテナＧｙと標記されたアンテナ６０４は、ＬＮＡ６２４にその出力を接続させうるＢＰＦ６２２に接続され、それは、ＬＯ周波数生成器６３２から選択的に適用された出力とともに、または、それなしで、ミキサ６２６にその出力を接続させうる。ミキサ６２６の出力はＬＰＦ６２８に接続され、その出力はサンプル化され、ＡＤＣ６３０に供給されうる。ＡＤＣ６３０からの出力は、さらなるデジタルベースバンド処理６３６を提供するために、追加の回路構成要素および／または論理に接続されうる。デジタルベースバンド処理６３６は、デジタルベースバンド処理６２０と、同一であっても、異なるものであってもよい。
【００６８】
図５および図６の例では、離散コンポーネントを使用して説明されているが、他の実施では、マルチバンドアンテナ、フィルタ、ＬＮＡｓ、等もまた使用されうることが理解される。
【００６９】
図５および図６は、他の設計および／または特許請求の主題を限定することを意図しない、いくつかの例示的な実施を示す。たとえば、１つのブロックにあるように示されているが、ある特定の実施において、ＢＰＦおよび／またはＬＮＡ回路構成要素は、統合されてもされなくてもよい。また、たとえば、ある特定の実施において、ミキサは、共有されてもされなくてもよい（たとえば、種々の受信パスがミキサ出力で結合されてもよい）。ある特定の例示的な限定において、アクティブパスを選択するためのＬＮＡ（またはミキサ）出力のスイッチはなくてもよい。そのかわりに、たとえば、適切なパスは、ただ１つだけのＬＯ生成器および／または関連づけられるＶＣＯバッファ、等をイネーブルにする（たとえば、電源を入れる）ことにより選択されうる。ここで、たとえば、各ミキサはそれに付属するＬＯ生成器を有してもよいし、ミキサ出力は共に連結されてもよく、ＶＣＯはバッファされ、別のバッファを使用するＬＯ生成器に入れられてもよい。同様に、図６の例に関して、アクティブパスを選択するためにスイッチ（６１８、６３４）の１つを使用するかわりに、受信系の１つに電源が入れられてもよく、（単数または複数の）他のものの電源が切られてもよい。
【００７０】
ここに説明されている方法は、アプリケーションによっては、さまざまな手段により実施されうる。たとえば、これらの方法は、ハードウェア、ファームウェア、ソフトウェア、またはそれらの任意の組合せで実施されうる。ハードウェアの実施において、デバイス１０２のすべてまたは一部は、１つ以上の用途特定集積回路（ＡＳＩＣｓ）、デジタル信号プロセッサ（ＤＳＰｓ）、デジタル信号処理デバイス（ＤＳＰＤｓ）、プログラマブルロジックデバイス（ＰＬＤｓ）、フィールドプログラマブルゲイトアレイ（ＦＰＧＡｓ）、プロセッサ、コントローラ、マイクロコントローラ、マイクロプロセッサ、電子ユニット、ここに説明されているファンクションを実行するように設計されている他の電子ユニット、またはそれらの組合せの中で実施されうる。
【００７１】
ファームウェアおよび／またはソフトウェアの実施において、方法は、たとえば、ここに説明されているファンクションを実行するモジュール（たとえば、手順、ファンクション等）で実施されうる。命令を実際に具現化する任意の機械またはコンピュータ可読媒体が、ここに説明されている方法を実施するのに使用されうる。たとえば、ソフトウェアコードまたは命令および他のデータが、メモリ、たとえばメモリ３１０に記憶され、処理ユニット３０８またはデバイス１０２内の他の同様の回路によって実行されうる。
【００７２】
ここに使用されているように、「メモリ」という用語は、長期、短期、揮発性、不揮発性、または他のメモリの任意のタイプのことを言い、任意の特定のメモリタイプまたはメモリ数、または情報が記憶されうる媒体タイプに限定されない。
【００７３】
ある特定の例示的な実施において、ここに説明されるファンクションは、ハードウェア、ソフトウェア、ファームウェア、または、これらの任意の組合せにおいて実施可能である。ソフトウェアにおいて実施される場合、ファンクションは、コンピュータ可読媒体におけるコード、または、１つ以上の命令として伝送または記憶され得る。コンピュータ可読媒体は、１つの場所から他へのコンピュータプログラムの移送を容易にする任意の媒体を含む通信媒体およびコンピュータ記憶媒体の両方を含む。記憶媒体は、コンピュータでアクセス可能な任意の利用可能媒体であってもよい。限定ではなく例として、そのようなコンピュータ可読媒体は、ＲＡＭ、ＲＯＭ、ＥＥＰＲＯＭ、ＣＤ−ＲＯＭ、または、他の光ディスク記憶装置、磁気ディスク記憶装置、または、他の磁気記憶デバイス、または、コンピュータでアクセス可能であり、データ構造または命令の形態の所望のプログラムコードを記憶または搬送するために使用可能な任意の他の媒体を含み得る。さらに、いずれの接続も当然のことながらコンピュータ可読媒体と呼ばれる。たとえば、ソフトウェアが、ウェブサイト、サーバ、または、同軸ケーブル、光ファイバケーブル、ツイストペア、デジタル加入者回線（ＤＳＬ）を使用する他のリモートソース、または、赤外線、無線、および、マイクロ波といった無線技術によって伝送される場合、同軸ケーブル、光ファイバケーブル、ツイストペア、ＤＳＬ、または、赤外線、無線、および、マイクロ波といった無線技術は、媒体の定義に含まれる。ディスク（disk）およびディスク（disc）は、ここに使用されているように、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disks）は普通、データを磁気的に再生するが、ディスク（discs）はレーザーで光学的にデータを再生する。上記の組合せも、また、コンピュータ可読媒体の範囲内に含まれるべきである。
【００７４】
ある特定の例示的な技術が、さまざまな方法およびシステムを使用してここに説明され示されてきたが、特許請求の主題から逸脱することなく、さまざまな他の変更が行われうること、等価物が代用されうることが、当業者によって理解されるべきである。さらに、多くの変更が、ここに説明されている主要な概念から逸脱することなく、特許請求の主題の技術に特定の状況を適応するように、なされうる。したがって、特許請求の主題は、開示されている特定の例に限定されないが、そのような特許請求の主題は、また、付属の特許請求の範囲内のすべての実施とその等価物を含み得ることが、意図される。
以下に、本願出願の当初の特許請求の範囲に記載された発明を付記する。
［１］少なくとも１つの無線システムインターフェースと、
少なくとも第１のモードと第２のモードで選択的に動作するように適応させられた、少なくとも１つの衛星ポジショニングシステム（ＳＰＳ）受信機であって、前記第１のモードで動作する場合には少なくとも第１のＳＰＳ信号を、前記第２のモードで動作する場合には少なくとも第２のＳＰＳ信号を、受信するように適応させられた、前記ＳＰＳ受信機と、
前記無線システムインターフェースと前記ＳＰＳ受信機に接続され、前記ＳＰＳ受信機が、前記無線システムインターフェースに関連づけられる少なくとも１つの動作状態に少なくとも部分的に基づき、前記第１のモードまたは第２のモードのうちの１つで動作することを、規定するように適応させられた、少なくとも１つのコントローラ
とを含む装置。
［２］前記少なくとも１つのコントローラが、前記無線システムインターフェースに関連づけられる前記少なくとも１つの動作状態に少なくとも部分的に基づき、前記第１のモードおよび前記第２のモード間での前記ＳＰＳ受信機の動作の遷移を、選択的に開始するように適応させられた、［１］に記載の装置。
［３］前記少なくとも１つのコントローラが、前記無線システムインターフェースに関連づけられる前記少なくとも１つの動作状態を識別するように適応させられた、［１］に記載の装置。
［４］前記無線システムインターフェースに関連づけられる前記少なくとも１つの動作状態が、動的に確立される、［１］に記載の装置。
［５］前記無線システムインターフェースに関連づけられる前記少なくとも１つの動作状態が、プログラム可能に確立される、［１］に記載の装置。
［６］前記無線システムインターフェースに関連づけられる前記少なくとも１つの動作状態が、周波数に関連した動作状態を含む、［１］に記載の装置。
［７］前記無線システムインターフェースに関連づけられる前記少なくとも１つの動作状態が、タイミングに関連した動作状態を含む、［１］に記載の装置。
［８］前記無線システムインターフェースに関連づけられる前記少なくとも１つの動作状態が、送信に関連した動作状態を含む、［１］に記載の装置。
［９］前記無線システムインターフェースに関連づけられる前記少なくとも１つの動作状態が、受信に関連した動作状態を含む、［１］に記載の装置。
［１０］前記少なくとも１つのコントローラが、前記無線システムインターフェースに関連づけられる前記少なくとも１つの動作状態が：（ｉ）前記第１のモードとの互換性が動作的により少ない、および／または、（ｉｉ）前記第２のモードとの互換性が動作的により多い、と前記少なくとも１つのコントローラによって判断される場合に、前記第１のモードから前記第２のモードへの前記ＳＰＳ受信機の動作の変更を、選択的に開始するように適応させられた、［１］に記載の装置。
［１１］前記少なくとも１つの無線システムインターフェースが、無線ワイドエリアネットワーク（ＷＷＡＮ）、無線ローカルエリアネットワーク（ＷＬＡＮ）、無線パーソナルエリアネットワーク（ＷＰＡＮ）および無線メトロポリタンエリアネットワーク（ＷＭＡＮ）を含む無線通信システムのグループから選択された少なくとも１つの無線システムでの使用に適応させられた、［１］に記載の装置。
［１２］前記少なくとも１つの無線システムインターフェースが、メディアフローシステム、デジタルＴＶシステム、デジタルラジオシステム、移動体デジタルテレビ放送（ＤＶＢ−Ｈ）システム、デジタルマルチメディア放送（ＤＭＢ）システムおよび地上デジタル放送統合サービス（ＩＳＤＢ−Ｔ）システムを含む無線放送システムのグループから選択された少なくとも１つの無線システムでの使用に適応させられた、［１］に記載の装置。
［１３］前記少なくとも１つの無線システムインターフェースが、受信機、送信機およびトランシーバを含むインターフェース回路のグループから選択された少なくとも１つのインターフェース回路を含む、［１］に記載の装置。
［１４］前記少なくとも１つのＳＰＳ受信機が、ＧＰＳ信号、ガリレオ信号、グロナス信号およびコンパス信号を含むＳＰＳ信号のグループから選択された少なくとも１つのＳＰＳ信号を受信するように適応可能である、［１］に記載の装置。
［１５］前記少なくとも１つのＳＰＳ受信機が、周波数適応可能な単一の受信パス回路を含む、［１］に記載の装置。
［１６］前記第１のＳＰＳ信号が第１の周波数帯域内にあり、前記第２のＳＰＳ信号が第２の周波数帯域内にある、［１］に記載の装置。
［１７］前記第１のＳＰＳ信号が周波数帯域の第１のチャネル内にあり、前記第２のＳＰＳ信号が前記周波数帯域の第２のチャネル内にある、［１］に記載の装置。
［１８］前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、［１］に記載の装置。
［１９］前記少なくとも１つの無線システムインターフェースと前記少なくとも１つのＳＰＳ受信機が、並行して動作するように適応させられている、［１］に記載の装置。
［２０］前記装置が移動デバイスを含む、［１］に記載の装置。
［２１］少なくとも１つの無線システムインターフェースと少なくとも１つの衛星ポジショニングシステム（ＳＰＳ）受信機を有する通信デバイスを提供することであって、前記ＳＰＳ受信機が、少なくとも第１のＳＰＳ信号を受信するために少なくとも第１のモードで、少なくとも第２のＳＰＳ信号を受信するために第２のモードで、選択的に動作するように適応させられている、ことと、
前記ＳＰＳ受信機が、前記無線システムインターフェースに関連づけられる少なくとも１つの動作状態に少なくとも部分的に基づき、前記第１のモードまたは第２のモードのうちの１つで動作することを選択的に規定すること
とを含む方法。
［２２］前記無線システムインターフェースに関連づけられる前記少なくとも１つの動作状態に少なくとも部分的に基づき、前記第１のモードと前記第２のモード間で、前記ＳＰＳ受信機の動作を選択的に変更すること
をさらに含む、［２１］に記載の方法。
［２３］前記無線システムインターフェースに関連づけられる前記少なくとも１つの動作状態を識別すること
をさらに含む、［２１］に記載の方法。
［２４］前記無線システムインターフェースに関連づけられる前記少なくとも１つの動作状態が、動的に識別される、［２１］に記載の方法。
［２５］前記無線システムインターフェースに関連づけられる前記少なくとも１つの動作状態が、プログラム可能に識別される、［２１］に記載の方法。
［２６］前記無線システムインターフェースに関連づけられる前記少なくとも１つの動作状態が、周波数に関連した動作状態を含む、［２１］に記載の方法。
［２７］前記無線システムインターフェースに関連づけられる前記少なくとも１つの動作状態が、タイミングに関連した動作状態を含む、［２１］に記載の方法。
［２８］前記無線システムインターフェースに関連づけられる前記少なくとも１つの動作状態が、送信に関連した動作状態を含む、［２１］に記載の方法。
［２９］前記無線システムインターフェースに関連づけられる前記少なくとも１つの動作状態が、受信に関連した動作状態を含む、［２１］に記載の方法。
［３０］前記無線システムインターフェースに関連づけられる前記少なくとも１つの動作状態が：（ｉ）前記第１のモードとの互換性が動作的により少ない、および／または、（ｉｉ）前記第２のモードとの互換性が動作的により多い、と判断される場合に、前記第１のモードから前記第２のモードへ、前記ＳＰＳ受信機の動作を、選択的に変更すること
をさらに含む、［２１］に記載の方法。
［３１］前記少なくとも１つの無線システムインターフェースが、無線ワイドエリアネットワーク（ＷＷＡＮ）、無線ローカルエリアネットワーク（ＷＬＡＮ）、無線パーソナルエリアネットワーク（ＷＰＡＮ）および無線メトロポリタンエリアネットワーク（ＷＭＡＮ）を含む無線通信システムのグループから選択された少なくとも１つの無線システムでの使用に適応させられた、［２１］に記載の方法。
［３２］前記少なくとも１つの無線システムインターフェースが、メディアフローシステム、デジタルＴＶシステム、デジタルラジオシステム、移動体デジタルテレビ放送（ＤＶＢ−Ｈ）システム、デジタルマルチメディア放送（ＤＭＢ）システムおよび地上デジタル放送統合サービス（ＩＳＤＢ−Ｔ）システムを含む無線放送システムのグループから選択された少なくとも１つの無線システムでの使用に適応させられた、［２１］に記載の方法。
［３３］前記少なくとも１つの無線システムインターフェースが、受信機、送信機およびトランシーバを含むインターフェース回路のグループから選択された少なくとも１つのインターフェース回路を含む、［２１］に記載の方法。
［３４］前記少なくとも１つのＳＰＳ受信機が、ＧＰＳ信号、ガリレオ信号、グロナス信号およびコンパス信号を含むＳＰＳ信号のグループから選択された少なくとも１つのＳＰＳ信号を受信するように適応可能である、［２１］に記載の方法。
［３５］前記第１のモードから第２のモードへ、前記ＳＰＳ受信機の動作を選択的に変更することが、周波数適応可能な単一の受信パス回路を調整することを含む、［２１］に記載の方法。
［３６］前記第１のＳＰＳ信号が第１の周波数帯域内にあり、前記第２のＳＰＳ信号が第２の周波数帯域内にある、［２１］に記載の方法。
［３７］前記第１のＳＰＳ信号が周波数帯域の第１のチャネル内にあり、前記第２のＳＰＳ信号が前記周波数帯域の第２のチャネル内にある、［２１］に記載の方法。
［３８］前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、［２１］に記載の方法。
［３９］前記少なくとも１つの無線システムインターフェースと前記少なくとも１つのＳＰＳ受信機を並行して動作すること
をさらに含む、［２１］に記載の方法。
［４０］少なくとも１つの無線システムと通信するための手段と、
前記少なくとも１つの無線システムと通信するための手段に関連づけられる少なくとも１つの動作状態に少なくとも部分的に基づき、少なくとも第１のＳＰＳ信号を受信するために第１のモードで、または、少なくとも第２のＳＰＳ信号を受信するために第２のモードで、衛星ポジショニングシステム（ＳＰＳ）受信機を選択的に動作するための手段
とを含む装置。
［４１］前記第１のＳＰＳ信号を受信するために少なくとも第１のモードで、および、前記第２のＳＰＳ信号を受信するために第２のモードで、衛星ポジショニングシステム（ＳＰＳ）受信機を選択的に動作するための前記手段が、前記無線システムインターフェースに関連づけられる少なくとも１つの動作状態に少なくとも部分的に基づき、前記第１のモードと前記第２のモード間で前記ＳＰＳ受信機の動作を選択的に遷移するための手段を含む、［４０］に記載の装置。
［４２］少なくとも前記第１のモードで動作するように、前記少なくとも１つのＳＰＳ受信機を適応させるための手段と、
少なくとも前記第２のモードで動作するように、前記少なくとも１つのＳＰＳ受信機を適応させるための手段
とをさらに含む、［４０］に記載の装置。
［４３］前記無線システムインターフェースに関連づけられる前記少なくとも１つの動作状態を識別するための手段
をさらに含む、［４０］に記載の装置。
［４４］前記第１のＳＰＳ信号が第１の周波数帯域内にあり、前記第２のＳＰＳ信号が第２の周波数帯域内にある、［４０］に記載の装置。
［４５］前記第１のＳＰＳ信号が周波数帯域の第１のチャネル内にあり、前記第２のＳＰＳ信号が前記周波数帯域の第２のチャネル内にある、［４０］に記載の装置。
［４６］前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、［４０］に記載の装置。
［４７］少なくとも１つの処理ユニットによって実行される場合に、
少なくとも１つの無線システムをも有する通信デバイスにおける少なくとも１つの衛星ポジショニングシステム（ＳＰＳ）受信機が、前記無線システムインターフェースに関連づけられる少なくとも１つの動作状態に少なくとも部分的に基づき、少なくとも、少なくとも第１のＳＰＳ信号を受信するための第１のモード、および、少なくとも第２のＳＰＳ信号を受信するための第２のモードから選択された１つの動作モードで動作することを、選択的に規定すること
を、前記少なくとも１つの処理ユニットに可能にさせるように適応させられている、記憶された、コンピュータで実施可能な命令を含む、コンピュータ可読媒体。
［４８］少なくとも１つの処理ユニットによって実行される場合に、
前記無線システムインターフェースに関連づけられる前記少なくとも１つの動作状態に少なくとも部分的に基づき、前記第１のモードと前記第２のモード間で、前記ＳＰＳ受信機の動作を選択的に変更すること
を、前記少なくとも１つの処理ユニットに可能にさせるように適応させられている、記憶された、コンピュータで実施可能な命令をさらに含む、［４７］に記載のコンピュータ可読媒体。
［４９］少なくとも１つの処理ユニットによって実行される場合に、
前記無線システムインターフェースに関連づけられる前記少なくとも１つの動作状態を識別すること
を、前記少なくとも１つの処理ユニットに可能にさせるように適応させられている、記憶された、コンピュータで実施可能な命令をさらに含む、［４７］に記載のコンピュータ可読媒体。
［５０］前記第１のＳＰＳ信号が第１の周波数帯域内にあり、前記第２のＳＰＳ信号が第２の周波数帯域内にある、［４７］に記載のコンピュータ可読媒体。
［５１］前記第１のＳＰＳ信号が周波数帯域の第１のチャネル内にあり、前記第２のＳＰＳ信号が前記周波数帯域の第２のチャネル内にある、［４７］に記載のコンピュータ可読媒体。
［５２］前記第１のＳＰＳ信号は、第１の全地球的航法衛星システム（ＧＮＳＳ）、第１の局地的航法システムおよび／または第１の静止衛星型衛星航法補強システム（ＳＢＡＳ）のうち少なくとも１つに関連づけられ、前記第２のＳＰＳ信号は、第２のＧＮＳＳ、第２の局地的航法システムおよび／または第２のＳＢＡＳのうち少なくとも１つに関連づけられる、［４７］に記載のコンピュータ可読媒体。
【図１】
0005587308.tif 000002
【図２】
0005587308.tif 000003
【図３】
0005587308.tif 000004
【図４】
0005587308.tif 000005
【図５】
0005587308.tif 000006
【図６】
0005587308.tif 000007